(57)【特許請求の範囲】
【請求項１】
減衰器を構成する複数の抵抗体が円筒曲面体であり、複数の抵抗体が絶縁されて円筒体を形成し、該円筒体に導電性の可動接合子が螺合し、該可動接合子の移動で前記複数の抵抗体の抵抗値がインピーダンスに変化を生じない様に、所定の抵抗体の抵抗値が減少するときは残りの抵抗体の抵抗値が増大する様にしたことを特徴とする可変減衰器。
【発明の詳細な説明】
【０００１】
【発明の属する技術分野】
本発明は、波形を調整する為回路中に設けられる減衰器、特にインピーダンスを変化することなく減衰量が変更できる可変減衰器に関するものである。
【０００２】
【従来の技術】
回路中に波形を調整するものとして設けられるものに減衰器がある。図７は従来の減衰器、特にＴ形の減衰器を示している。
【０００３】
Ｔ形の減衰器１はライン２に抵抗３、抵抗４が直列に設けられ、該抵抗３と抵抗４の間が抵抗５を介して接地されたものである。
【０００４】
前記抵抗３、抵抗４は可変抵抗であり、連動して抵抗値が変化され、前記抵抗５は固定となっている。
【０００５】
又、図８は他の従来例を示しており、該他の従来例では抵抗３、抵抗４、抵抗５の配置は同じであるが、抵抗３、抵抗４の抵抗値は固定で、抵抗５が可変抵抗となっている。
【０００６】
いずれの場合も、抵抗３（Ｒ１［Ω］）、抵抗４（Ｒ２［Ω］）、抵抗５（Ｒ３［Ω］）と減衰量（Ｌ［ｄＢ］）、インピーダンス（Ｚ［Ω］）の関係は次式で表される。
Ｒ１＝Ｒ２＝（１−１０-L/20）Ｚ／（１＋１０-L/20）・・・（１）
【０００７】
Ｒ３＝（２×１０-L/20）Ｚ／（１−１０-L/10）・・・（２）
【０００８】
従って、Ｒ１、Ｒ２又はＲ３を変更することで、減衰量Ｌを変更することができる。
【０００９】
【発明が解決しようとする課題】
上記（１）式、（２）式に見られる様に、Ｒ１、Ｒ２、Ｒ３、Ｚ、Ｌとは相互に関連しているので、例えば図７に於いて、（１）式のＲ１＝Ｒ２の値を調整し、Ｌを変更した場合、（２）式に於いてもＬが変更される。Ｒ３を固定とするとＺが変化する。即ち、インピーダンスの不整合が生じ、目的の減衰量が得られなくなり、可変減衰器の前後の回路にも悪影響を及す可能性があるという問題を有していた。
【００１０】
本発明は斯かる実情に鑑み、インピーダンスを変化させることなく減衰量を変更できる可変減衰器を提供するものである。
【００１１】
【課題を解決するための手段】
本発明は、減衰器を構成する複数の抵抗を連動して可変とし抵抗値の調整により減衰特性を変更する可変減衰器に於いて、インピーダンスに変化を生じない様に、所定の抵抗の抵抗値が減少するときは残りの抵抗の抵抗値が増大する様に抵抗値の変化を関連付けた可変減衰器に係り、又減衰器を構成する複数の抵抗体が円筒曲面体であり、複数の抵抗体が絶縁されて円筒体を形成し、該円筒体に導電性の可動接合子が螺合し、該可動接合子の移動で前記複数の抵抗体の抵抗値がインピーダンスに変化を生じない様に、所定の抵抗体の抵抗値が減少するときは残りの抵抗体の抵抗値が増大する様にした可変減衰器に係るものである。
【００１２】
【発明の実施の形態】
以下、図面を参照しつつ本発明の実施の形態を説明する。
【００１３】
図１はＴ形の減衰器を示しており、端子１１，１２間を接続するライン６に可変抵抗７、可変抵抗８が直列に設けられ、該可変抵抗７と可変抵抗８の間が可変抵抗９及び端子１３を介して接地されたものである。
【００１４】
可変抵抗７（Ｒ１［Ω］）、可変抵抗８（Ｒ２［Ω］）、可変抵抗９（Ｒ３［Ω］）と減衰量（Ｌ［ｄＢ］）、インピーダンス（Ｚ［Ω］）の関係は前記（１）式、（２）式で示される通りである。
【００１５】
前記可変抵抗７、可変抵抗８、可変抵抗９は連動して変化される様になっており、該可変抵抗７、可変抵抗８、可変抵抗９の変化の関係は図２で示される様になっている。図２で示される関係は、可変減衰器のインピーダンスが一定となる関係である。
【００１６】
即ち、Ｒ１＝Ｒ２が略比例的に変化する場合、Ｒ３は双曲線状に変化する。従って、Ｒ１＝Ｒ２とＲ３との関係は、Ｒ１＝Ｒ２の変化に対し、Ｒ３は逆数的に変化する。
【００１７】
Ｃ≒（Ｒ１＝Ｒ２）／Ｒ３・・・（３）（Ｃは定数）で近似される。
【００１８】
減衰量の調整は、可変抵抗７、可変抵抗８、可変抵抗９のいずれを調整してもよく、該可変抵抗７、可変抵抗８、可変抵抗９の抵抗値は図２で示される関係（Ｃ≒（Ｒ１＝Ｒ２）／Ｒ３）を保って連動する。
【００１９】
次に、図３、図４により具体例を説明する。尚、図３、図４中、図１中で示したものと同等のものには同符号を付してある。
【００２０】
同一の曲率を有する円筒曲面体である３つの抵抗体１５、抵抗体１６、抵抗体１７を円筒体２０を形成する様同心に配設し、前記３つの抵抗体１５、抵抗体１６、抵抗体１７をバンド１８で束ねて固定する。一体となった前記抵抗体１５、抵抗体１６、抵抗体１７の内面には螺子２３が刻設される。前記抵抗体１７の一端にリード線１９を接続し、前記抵抗体１５、抵抗体１６の他端には端子２１，２２を設ける。尚、前記リード線１９は接地している。
【００２１】
前記円筒体２０には可動接合子２４が螺合する。該可動接合子２４は銅等の良電導材料が使用され、上下両面若しくは上面にドライバー等を差込める溝２５が刻設されている。前記可動接合子２４を前記円筒体２０に螺合した状態で、前記可動接合子２４が回転することで、該可動接合子２４が前記円筒体２０の軸心方向に移動する。
【００２２】
前記抵抗体１５及び前記可動接合子２４は前記可変抵抗７（Ｒ１）に相当し、前記抵抗体１６及び前記可動接合子２４は前記可変抵抗８（Ｒ２）に相当し、前記抵抗体１７及び前記可動接合子２４は前記可変抵抗９（Ｒ３）に相当する。
【００２３】
前記抵抗体１５、抵抗体１６は軸心方向に沿って幅が同一の形状であり、前記抵抗体１７は軸心方向に沿って幅寸法が上端に向って２次曲線状に増大している。ここで、前記抵抗体１５の前記端子２１から前記可動接合子２４迄の抵抗値は前記可変抵抗７（Ｒ１）の抵抗値に相当し、前記抵抗体１６の前記端子２２から前記可動接合子２４迄の抵抗値は前記可変抵抗８（Ｒ２）の抵抗値に相当し、前記抵抗体１７の前記リード線１９から前記可動接合子２４迄の抵抗値は前記可変抵抗９（Ｒ３）の抵抗値に相当する。又、前記端子２１は前記端子１１に、前記端子２２は前記端子１２に、前記前記リード線１９は前記端子１３に相当する。
【００２４】
而して、前記可動接合子２４が最下位置の状態から上方に移動するに従い、前記抵抗体１５、抵抗体１６の抵抗値はリニアに増大し、又、前記抵抗体１７は幅が増大していることから、比抵抗は減少している。従って、該抵抗体１７の抵抗値は、変化率が初期は大きくその後は変化率が減少する、という逆数的態様で減少する。即ち、図２に示す様な抵抗値の変化の関係で前記抵抗体１５、抵抗体１６、抵抗体１７の抵抗値が変化する。
【００２５】
前記可動接合子２４をドライバー等で回し、前記円筒体２０での前記可動接合子２４の位置を変化させることで、減衰量を調整でき、而もインピーダンスを一定に保持することができる。
【００２６】
尚、上記抵抗体１５、抵抗体１６、抵抗体１７を一体化する手段としては、前記バンド１８を用いず、前記抵抗体１５、抵抗体１６、抵抗体１７間の隙間を絶縁樹脂で充填することも考えられる。
【００２７】
又、前記可変抵抗７、可変抵抗８、可変抵抗９が連動して図２の様に変化する構成としては、種々考えられ、例えば図６に示す様に、絶縁基板にパターンで抵抗体１５，１６，１７を形成し、該抵抗体１５，１６，１７に掛渡る可動接合子２４を摺動させる様にしてもよい。
【００２８】
更に、上記実施の形態はＴ型の可変減衰器について説明したが、Ｈ型の可変減衰器についても同様な手法で実施可能であることは言う迄もない。
【００２９】
【発明の効果】
以上述べた如く本発明によれば、減衰器を構成する複数の抵抗を連動して可変とし抵抗値の調整により減衰特性を変更する可変減衰器に於いて、インピーダンスに変化を生じない様に、所定の抵抗の抵抗値が減少するときは残りの抵抗の抵抗値が増大する様に抵抗値の変化を関連付けたので、インピーダンスを変化させることなく目的の減衰量が得られ、減衰器の前後段の回路にも悪影響を及さないという優れた効果を発揮する。
【図面の簡単な説明】
【図１】本発明の実施の形態を示す回路図である。
【図２】該回路図での作動説明図である。
【図３】同前本発明の実施の形態を示す斜視図である。
【図４】同前本発明の実施の形態を示す側面図である。
【図５】同前本発明の実施の形態を示す平面図である。
【図６】本発明の他の実施の形態を示す斜視図である。
【図７】従来例の回路図である。
【図８】他の従来例を示す回路図である。
【符号の説明】
７          可変抵抗
８          可変抵抗
９          可変抵抗
１５        抵抗体
１６        抵抗体
１７        抵抗体
１８        バンド
２０        円筒体
２４        可動接合子
【図１】
0004187428.tif 000002
【図２】
0004187428.tif 000003
【図３】
0004187428.tif 000004
【図４】
0004187428.tif 000005
【図５】
0004187428.tif 000006
【図６】
0004187428.tif 000007
【図７】
0004187428.tif 000008
【図８】
0004187428.tif 000009